(57)【要約】【課題】開封が容易であると共に、携帯時における不測の開封を防止することができる生理用タンポンの個包装体を提供すること。【解決手段】所定方向に連続又は間欠的に形成される１又は複数の切り込み部を有する開封部と、前記所定方向と直交する開封方向における前記開封部の一方側又は両方側に形成される緩衝構造部と、を備え、縦長状に形成された袋体に、アプリケータ付きタンポンが個別に封入された個包装体であって、前記緩衝構造部は、前記緩衝構造部よりも前記開封方向側における所定位置において、該個包装体の一部を前記開封方向側に移動させる所定の力が加えられた場合、前記所定の力が開封部に伝達される。【選択図】図１
2008259583.tif 000002
【特許請求の範囲】
【請求項１】
所定方向に連続又は間欠的に形成される１又は複数の切り込み部を有する開封部と、
前記所定方向と直交する開封方向における前記開封部の一方側又は両方側に形成される緩衝構造部と、を備え、縦長状に形成された袋体に、アプリケータ付きタンポンが個別に封入された個包装体であって、
前記緩衝構造部は、前記緩衝構造部よりも前記開封方向側における所定位置において、該個包装体の一部を前記開封方向側に移動させる所定の力が加えられた場合、
前記所定の力が開封部に伝達されることを抑制する個包装体。
【請求項２】
前記緩衝構造部は、前記所定の力が加えられる方向に延伸可能に形成される請求項１に記載の個包装体。
【請求項３】
前記所定位置に前記所定の力が加えられた場合、
前記開封部の前記開封方向への移動距離は、前記所定位置における前記開封方向への移動距離よりも小さい請求項１又は２に記載の個包装体。
【請求項４】
前記緩衝構造部は、前記開封部の近傍に形成される請求項１から３のいずれかに記載の個包装体。
【請求項５】
前記緩衝構造部は、前記開封方向に山部と谷部とが交互に連続するように前記シート状部材を連続的に折り返して形成される請求項１から４のいずれかに記載の個包装体。
【請求項６】
前記袋体は扁平状であって、短径方向における一方の面であって前記開封方向及び前記緩衝構造部が形成される第１の面と、他方側の面である第２の面と、を有し、
前記緩衝構造部は、前記シート状部材を弛ませて形成される弛み部を有し、
前記弛み部は、前記開封部を覆うようにして該袋体の表面に沿うように配置される請求項１から５のいずれかに記載の個包装体。
【請求項７】
前記緩衝構造部は、前記開封部の前記開封方向における一方側に形成される緩衝構造部と、他方側に形成される他の緩衝構造部と、を備え、
前記他の緩衝構造部は、前記シート状部材を弛ませて形成され、前記弛み部をさらに覆うように配置される他の弛み部が形成される請求項６に記載の個包装体。
【請求項８】
前記弛み部及び／又は前記他の弛み部は、該袋体の幅方向における側縁が前記袋体と接合される請求項７に記載の個包装体。
【請求項９】
前記開封部は、前記所定方向が前記袋体の幅方向に形成される請求項１から８のいずれかに記載の個包装体。
【請求項１０】
前記開封部は、前記所定方向が前記袋体の長手方向に形成される請求項１から８のいずれかに記載の個包装体。
【請求項１１】
前記袋体は、前記開封部の位置又は前記開封方向を示唆する案内要素を備える請求項１から１０のいずれかに記載の個包装体。
【請求項１２】
前記シート状部材は、伸張可能な部分を有し、
前記緩衝構造部は、伸張可能な部分により形成される請求項１から１１のいずれかに記載の個包装体。
【請求項１３】
前記開封部は、第１切り込み部と、前記第１切り込み部よりも前記所定方向における長さが短い第２切り込み部と、を備え、
前記第１切り込み部は、前記開封部の略中央部に設けられ、
前記第２切り込み部は、前記第１切り込み部の両側に設けられる請求項１から１２のいずれかに記載の個包装体。
【請求項１４】
前記緩衝構造部は、延伸時の前記開封方向における長さが、非延伸時の前記開封方向における長さに対して１３０％以上になるように形成される請求項１から５のいずれかに記載の個包装体。
【発明の詳細な説明】
【技術分野】
【０００１】
本発明は、個包装体に関する。特に、アプリケータ付タンポンが個別に収容された個包装体に関する。
【背景技術】
【０００２】
従来より、生理中の女性が膣腔内に挿入して使用する吸収性物品として、体液等を吸収する吸収体と、この吸収体の後端部に設けられる取り出し紐と、を備える、いわゆる生理用タンポンが広く知られている。そして、このような生理用タンポンには、アプリケータと呼ばれる筒状の挿入具を用いて生理用タンポンを体内に挿入するものと、アプリケータを用いずに指で直接吸収体を体内に挿入するものとがある。例えば、アプリケータを用いたアプリケータ付きタンポンは、吸収体が収納されたアプリケータを膣腔内の所定の位置まで挿入し、この状態でアプリケータから吸収体を押出すことにより、吸収体をより確実に膣腔奥部へ挿入することができる。これにより、多くの女性がこのアプリケータ付きタンポンを使用している。
【０００３】
ところで、昨今、このようなアプリケータ付きタンポンは、外出先での交換等に備えるため、持ち運び等の携帯性を向上させたものが望まれている。これにより、例えば、略縦長に形成された袋体に個別にアプリケータ付きタンポンを封入する、いわゆる、個包装されたアプリケータ付きタンポンが多く用いられている（例えば、特許文献１参考）。
【０００４】
特許文献１に記載の個包装体は、略矩形状の所定のフィルムを折り曲げ、このフィルムの重なり部分を接合した縦長の袋体の中にアプリケータ付きタンポンを封入すると共に、個包装されたアプリケータ付きタンポンの袋体の外周方向に開封用のミシン目を形成されている。これにより、持ち運びが容易であると共に、個包装の開封時には、このミシン目を基点に袋体を破り、開口させることが可能であるため封入したアプリケータ付きタンポンを容易に取り出すことができる構造となっている。
【特許文献１】実開昭６２−１８１２８号公報
【発明の開示】
【発明が解決しようとする課題】
【０００５】
しかしながら、特許文献１に記載の生理用タンポンの個包装体は、ミシン目を形成することにより開封が容易となるため、例えば、カバンや化粧ポーチ等の中に入れて携帯する場合、他の物品との接触や擦れ等、周囲からの不規則な力が加えられることで、ミシン目が不用意に開封してしまう場合があった。このように、個包装体が不用意に開封してしまうと、そこから埃や雑菌が侵入してしまい、非衛生的であった。特に、生理用タンポンは、体内に挿入させて使用するものであるため、非衛生的になると使用することができなくなってしまっていた。
【０００６】
本発明は、上記課題に鑑みてなされたものであって、開封が容易であると共に、携帯時における不測の開封を防止することができる生理用タンポンの個包装体を提供することを目的とする。
【課題を解決するための手段】
【０００７】
本発明者らは、アプリケータ付きタンポンを個別に封入した個包装体にこの個包装体の開封部に働く力を吸収する緩衝部を設けることにより、個包装体が不用意に開封することを防止できることを見出し、本発明を完成するに至った。具体的には、以下のような個包装体を提供する。
【０００８】
（１）  所定方向に連続又は間欠的に形成される１又は複数の切り込み部を有する開封部と、前記所定方向と直交する開封方向における前記開封部の一方側又は両方側に形成される緩衝構造部と、を備え、縦長状に形成された袋体に、アプリケータ付きタンポンが個別に封入された個包装体であって、前記緩衝構造部は、前記緩衝構造部よりも前記開封方向側における所定位置において、該個包装体の一部を前記開封方向側に移動させる所定の力が加えられた場合、前記所定の力が開封部に伝達されることを抑制する個包装体。
【０００９】
ここで、所定方向とは、例えば、装体の一部を長手方向に分離させることにより個包装体を開封する場合においては、袋体の幅方向をいい、例えば、装体の一部を幅方向に分離さえることにより個包装体を開封する場合においては、袋体の長手方向をいう。
【００１０】
また、所定位置とは、個包装体の開封方向における端部側であって、緩衝構造部と前記端部との間のいずれかの位置をいう。つまり、所定位置は、任意に決定される位置ではなく、前述の位置におけるいずれかの位置を含む。
【００１１】
また、所定の力とは、所定位置におけるシート状部材の一部を開封方向に移動させる力であり、例えば、開封部における各切り込み部と隣接する非切り込み部である袋体の一部を切断可能な力をいう。
【００１２】
なお、切り込み部は、袋体に間欠的に切り込みが入ったものに加え、開封部における袋体を間欠的又は連続的に肉薄状に形成するものであってもよい。言い換えると、切り離しが容易な構造であればよい。
【００１３】
（２）  前記緩衝構造部は、前記所定の力が加えられる方向に延伸可能に形成される（１）に記載の個包装体。
【００１４】
（３）  前記所定位置に前記所定の力が加えられた場合、前記開封部の前記開封方向への移動距離は、前記所定位置における前記開封方向への移動距離よりも小さい（１）又は（２）に記載の個包装体。
【００１５】
（４）  前記緩衝構造部は、前記開封部の近傍に形成される（１）から（３）のいずれかに記載の個包装体。
【００１６】
（５）  前記緩衝構造部は、前記開封方向に山部と谷部とが交互に連続するように前記シート状部材を連続的に折り返して形成される（１）から（４）のいずれかに記載の個包装体。
【００１７】
（６）  前記袋体は扁平状であって、短径方向における一方の面であって前記開封方向及び前記緩衝構造部が形成される第１の面と、他方側の面である第２の面と、を有し、前記緩衝構造部は、前記シート状部材を弛ませて形成される弛み部を有し、前記弛み部は、前記開封部を覆うようにして該袋体の表面に沿うように配置される（１）から（５）のいずれかに記載の個包装体。
【００１８】
（７）  前記緩衝構造部は、前記開封部の前記開封方向における一方側に形成される緩衝構造部と、他方側に形成される他の緩衝構造部と、を備え、前記他の緩衝構造部は、前記シート状部材を弛ませて形成され、前記弛み部をさらに覆うように配置される他の弛み部が形成される（６）に記載の個包装体。
【００１９】
（８）  前記弛み部及び／又は前記他の弛み部は、該袋体の幅方向における側縁が前記袋体と接合される（７）に記載の個包装体。
【００２０】
（９）  前記開封部は、前記所定方向が前記袋体の幅方向に形成される（１）から（８）のいずれかに記載の個包装体。
【００２１】
（１０）  前記開封部は、前記所定方向が前記袋体の長手方向に形成される（１）から（８）のいずれかに記載の個包装体。
【００２２】
（１１）  前記袋体は、前記開封部の位置又は前記開封方向を示唆する案内要素を備える（１）から（１０）のいずれかに記載の個包装体。
【００２３】
（１２）  前記シート状部材は、伸張可能な部分を有し、前記緩衝構造部は、伸張可能な部分により形成される（１）から（１１）のいずれかに記載の個包装体。
【００２４】
（１３）  前記開封部は、第１切り込み部と、前記第１切り込み部よりも前記所定方向における長さが短い第２切り込み部と、を備え、前記第１切り込み部は、前記開封部の略中央部に設けられ、前記第２切り込み部は、前記第１切り込み部の両側に設けられる（１）から（１２）のいずれかに記載の個包装体。
【００２５】
（１４）  前記緩衝構造部は、延伸時の前記開封方向における長さが、非延伸時の前記開封方向における長さに対して１３０％以上になるように形成される（１）から（５）のいずれかに記載の個包装体。
【発明の効果】
【００２６】
本発明によれば、開封が容易であると共に、携帯時における不測の開封を防止することができる生理用タンポンの個包装体を提供することができる。
【発明を実施するための最良の形態】
【００２７】
以下、本発明の実施形態について図面を参照しながら説明する。なお、本発明の実施形態は、下記の実施例に何ら限定されることなく、本発明の技術的範囲は、これに限定されるものではない。
【００２８】
図１は、本発明の第１実施形態に係る個包装体の正面図である。図２は、図１に示す個包装体のＡ−Ａ断面を示す模式図である。図３は、本発明の第２実施形態に係る個包装体の正面図である。図４は、図３に示す個包装体のＢ−Ｂ断面を示す模式図である。図５は、本発明の第３実施形態に係る個包装体の正面図である。図６は、図５に示す個包装体のＣ−Ｃ断面を示す模式図である。図７は、本発明の第４実施形態に係る個包装体の正面図である。図８は、図７に示す個包装体のＤ−Ｄ断面を示す模式図である。図９は、図７に示す個包装体の側面を示す部分拡大図である。図１０は、本発明の第５実施形態に係る個包装体の正面図である。図１１は、図１０に示す個包装体のＥ−Ｅ断面を示す模式図である。図１２は、本発明の第６実施形態に係る個包装体の正面図である。図１３は、図１２に示す個包装体のＦ−Ｆ断面を示す模式図である。図１４（Ａ）は、本発明に係るアプリケータ付きタンポンを示し、（Ｂ）は、本発明に係るタンポン本体を示す。
【００２９】
［第１実施形態］
（１）個包装体
図１及び図２に示すように、第１実施形態にかかる個包装体１は、略扁平の袋状に形成された袋体２と、アプリケータ付きタンポン３とから構成され、袋体２に形成される収納部２３にアプリケータ付きタンポン３を封入したものである。袋体２は、後述の一方の面である第１の面２０ａにおいて、幅方向Ｘに伸びる開封部２１が形成されると共に、幅方向Ｘと直交する方向に分離する蓋部２２を備える。蓋部２２には、さらに開封部２１を覆うように形成される緩衝構造部である弛み部２２１が設けられている。以下、個包装体１を構成するアプリケータ付きタンポン３及び袋体２について説明する。
【００３０】
（２）アプリケータ付きタンポン
図１４（Ａ）に示すように、アプリケータ付きタンポン３は、タンポン本体４と、挿入具であるアプリケータ５と、を具備する。
【００３１】
（２−１）アプリケータ
アプリケータ５は、合成樹脂材料で形成されており、タンポン本体４が収容される外筒５１と、外筒５１の内部に摺動自在に設けられると共に、外筒５１に収容されるタンポン本体４の吸収体４１を押し出し可能に形成される内筒５２と、を備える。外筒５１は、内筒５２が挿入される側の端部において、使用者が把持可能な把持部５３が設けられている。また、把持部５３が設けられる側と反対側である先端部には、複数の花弁５４が互いに分割されて一体に形成されている。内筒５２により押された吸収体４１は、これら花弁５４の間から押し出され、排出される。
【００３２】
（２−２）タンポン本体
図１４（Ｂ）に示すように、タンポン本体４は、吸収体４１と、吸収体４１の後端部から延出する取り出し紐４２と、を備える。また、タンポン本体４の吸収体４１は、外筒５１の内部に収容され、吸収体４１の後端部から延出する取り出し紐４２は、外筒５１から内筒５２を通して内筒５２の後方へ延出する。
【００３３】
吸収体４１は、例えば、コットンやレーヨンなどの親水性繊維を圧縮して形成したものが用いられ、不織布などの液透過性シートで包んだ状態で使用される。取り出し紐４２は、この液透過性シートに縫いつけることにより吸収体４１に結合される。
【００３４】
（２−３）使用方法
アプリケータ付タンポン３を使用するときには、使用者は、まず、外筒５１に設けられた把持部５３を把持し、アプリケータ５の外筒５１を膣腔内に挿入させる。そして、把持部５３を把持しながら内筒５２を外筒５１の内部に押し込む。これにより、内筒５２によって外筒５１内に収納された吸収体４１が押し出され、外筒５１の先端部分の花弁５４が開くように変形することにより、吸収体４１が膣内に挿入される。生理中の女性の膣腔内に挿入された吸収体４１は、経血等の体液を吸収する。また、吸収体４１を膣腔内に挿入しているときには、取り出し紐４２を膣腔内から体外へ出しておき、この取り出し紐４２を引っ張ることにより使用後の吸収体４１を膣内から取り出すことが可能となる。
【００３５】
（３−１）袋体
袋体２は、略縦長の一のシート状部材から形成されている。具体的には、袋体２は、シート状部材を第１折曲部２０ｃにおいて折り曲げ、折り曲げたことにより形成される第１の面２０ａ及び第２の面２０ｂそれぞれの幅方向Ｘにおける両側（サイドシール部２４、２４）を接合することにより袋状に形成される。さらに、袋体２は、アプリケータ付きタンポン３を収納後、長手方向Ｙにおける第１折曲部２０ｃと反対側（ボトムシール部２５）のアプリケータ付きタンポンの挿入口を接合することにより、扁平状の個包装体１になる。
【００３６】
サイドシール部２４、２４を接合することにより袋状に形成された袋体２には、第１の面２０ａと第２の面２０ｂとの非接合部にアプリケータ付きタンポン３を収納する収納部２３が形成される。収納部２３は、袋体２における非接合部を開放することによりアプリケータ付きタンポン３を収納する。
【００３７】
ここで、第１実施形態における袋体２の長手方向Ｙの長さとしては、例えば、吸収体４１を収納した状態のアプリケータ５の全長に１０ｍｍから４０ｍｍを加えた範囲の長さを例示できる。
【００３８】
また、第１実施形態における袋体２の幅方向Ｘの長さとしては、例えば、アプリケータ５の外筒５１の外径における長さの１８０％から３２０％の範囲の長さを例示できる。好ましくは、アプリケータ５の外筒５１外形の１８０％から２７０％の範囲の長さが例示できる。
【００３９】
また、第１実施形態における袋体２の収納部２３の長手方向Ｙの長さとしては、例えば、アプリケータ５の外筒５１以上の長さであって、吸収体４１を収納した状態のアプリケータ５の全長に１０ｍｍを加えた範囲の長さが例示できる。なお、収納部２３は、袋体２においてアプリケータ付きタンポン３を収納する部分であり、例えば、開封部２１からボトムシール部２５までにおける袋状に形成された部分をいう。
【００４０】
また、第１実施形態における袋体２の長手方向Ｙの両側部を接合するサイドシール部２４、２４の幅としては、例えば、３ｍｍから６ｍｍの範囲の幅が例示できる。
【００４１】
個包装体１における袋体２の第１の面２０ａには、幅方向Ｘに伸びる開封部２１が設けられている。開封部２１は、開封方向Ｚ側に凸状に形成されると共に、頂部となる略中央部が平ら（幅方向Ｘに平行）な山型に形成されている。また、開封部２１は、袋体２の幅方向Ｘに間欠的に複数の切れ込みが設けられることにより形成される。言い換えると、開封部２１には、袋体２の幅方向Ｘにいわゆるミシン目状に形成された切り込みが形成されている。
【００４２】
開封部２１は、略中央部に設けられる第１切れ込み部２１１と第１切れ込み部２１１の両側に設けられる第２切れ込み部２１２とを備え、第１切れ込み部２１１は、第２切れ込み部２１２よりも切れ込み長さが長く形成される。このように、略中央部に切れ込み長さの長い第１切れ込み部２１１を設けることにより、開封時における開封部２１の開封し易さが向上する。
【００４３】
また、開封部２１は、前述のアプリケータ付きタンポン３を封入後の個包装体１において、封入されたアプリケータ５の内筒５２に該当する部分に形成される。なお、開封部２１は、袋体２を開封した後の個包装体１において、使用者が内筒５２を摘んで取り出し可能な位置に形成されればよい。
【００４４】
蓋部２２には、開封部２１を覆うように形成される緩衝構造部である弛み部２２１が形成される。弛み部２２１は、蓋部２２において袋体２の一部を弛ませることにより形成される。具体的には、弛み部２２１は、蓋部２２を第２折曲部２２３において表面側が内側になるように山折りし、次いで、第３折曲部２２４において表面側が外側になるように谷折りすることで形成される。つまり、第２折曲部２２３は、弛み部２２１の長手方向Ｙにおける縁端部を構成し、第３折曲部２２４は、弛み部２２１の根本部を構成する。このようにして形成された弛み部２２１は、開封部２１を覆うと共に、上述のように折り曲げられることでシート状部材が積層された状態になる。
【００４５】
ここで、第１実施形態における袋体２の弛み部２２１の長手方向Ｙの長さとしては、摘むことが可能な長さを有していればよく、例えば、５ｍｍ以上の長さであることを例示できる。好ましくは、１０ｍｍから３０ｍｍの範囲の長さが例示できる。
【００４６】
そして、袋体２における蓋部２２は、弛み部２２１を形成した状態で、その両側の蓋部シール部２６、２６において接合される。つまり、弛み部２２１もその両側において接合され、両側以外の部分においては、接合されない構成となる。これにより、弛み部２２１は、折り曲げることにより形成された積層部分における貼り合わされていないシート状部材が長手方向Ｙに部分的にスライド移動可能となる。そして、このように構成されることにより弛み部２２１は、緩衝構造部として機能することができる。
【００４７】
なお、蓋部シール部２６、２６は、サイドシール部２４、２４及びボトムシール部２５よりも弱い剥離強度で接合されている。言い換えると、蓋部２２及び弛み部２２１が第１の面２０ａ及び第２の面２０ｂから剥離可能な程度に接合されている。
【００４８】
サイドシール部２４、２４、ボトムシール部２５における接合は、ヒートシールにより行われる。ヒートシールとしては、例えば、シール温度が８０℃から１１０℃、圧力が１５ｋｇｆ／ｃｍ２から３０ｋｇｆ／ｃｍ２の範囲において接合されることが好ましい。また、蓋部シール部２６、２６における接合もヒートシールにより行われ、例えば、シート状部材がポリエチレン樹脂フィルムの場合には、シール温度が９０℃から１２０℃、線圧力が２０ｋｇ／ｃｍから６５ｋｇ／ｃｍの範囲において接合されることが好ましい。なお、ヒートシールは、所定のエンボスパターンにより接合されることが好ましい。
【００４９】
また、サイドシール部２４、２４の圧着面積率は、蓋部シール部２６、２６の圧着面積率より高いことが好ましく、例えば、サイドシール部２４の圧着面積率が３６％であるのに対し、蓋部シール部２６の圧着面積率が２７％であることが例示できる。
【００５０】
（３−２）構成材料
シート状部材の材料としては、エンボス加工により片面に細かい凸部が分散して施されたポリエチレンフィルムが用いられる。袋体２の内面に凸部があることで、フィルムが貼り付きにくくなり、取り扱いが容易となる。シート状部材には、生理用タンポンの個包装として適した材料を特に制限無く用いることができる。例えば、ポリエチレンフィルムやポリプロピレンフィルム等の軟質系のフィルム、スパンボンド不織布、ＳＭＳ（スパンボンド／メルトブロー／スパンボンド）不織布、不織布や紙などの片面にポリエチレン樹脂層のラミネートコーティングをしたシート材料、不織布や紙に接着剤を塗布し、ポリエチレンフィルムを重ねた積層体などを例示することができる。特に、ポリエチレンフィルムやポリプロピレンフィルム等のヒートシール性を有した軟質系のフィルムは、接合させやすいことから好ましい。
【００５１】
また、これらは単層であってもよく、複数層からなっていてもよい。また、単体、又はこれらを組み合わせたものを用いてもよい。
【００５２】
（４）作用及び効果
このように、本実施形態に係る個包装体１は、例えば、使用者の意志とは異なる個包装体１を開封させようとする力（第１の面２０ａに形成された開封部２１を開封させるような力）が、個包装体１の端部と開封部２１との間（開封方向Ｚ側における端部近傍）において開封方向Ｚに加えられた場合、開封部２１の近傍に設けられた弛み部２２１における非接合の積層部分が開封方向Ｚにスライド移動する。このように、弛み部２２１の非接合部分が開封方向Ｚにスライド移動することにより、開封させようとする力を逃がすことができる。すなわち、力を緩衝させることが可能になる。これにより、開封部分に伝達する力を抑制することが可能になる。
【００５３】
さらに、開封部２１を開封させる場合においては、使用者が弛み部２２１の非接合部分を指で摘むことにより、弛み部２２１の非接合部分における開封方向Ｚへのスライド移動が制限される。これにより、開封時においては、直接開封部２１に力が伝達され、容易に開封部２１が開封される。この場合の弛み部２２１は、開封時における開封用の摘み部分として機能する。
【００５４】
このように、例えば、個包装体１をカバンやポーチ等に入れて持ち運ぶ場合においも、弛み部２２１を設けることにより、開封部２１に対する直接的な力の伝達が抑制され、開封部２１が不用意に開封してしまうことを防止することが可能になる。
【００５５】
また、弛み部２２１を設けることにより、使用者は開封部２１の位置を容易に認識可能となり、個包装体１としての利便性が向上する。なお、弛み部２２１の近傍に、開封部の位置を示唆する案内標識を設ける構成としてもよい。
【００５６】
また、弛み部２２１を摘んで開封方向Ｚに引っ張り、蓋部シール部２６を剥離させる場合においても、開封部２１は、弛み部２２１の根本部と収納部２３との境界に設けられているため、収納部２３側のサイドシール部２４、２４までを剥離することがない。
【００５７】
また、開封部２１は、間欠的な複数の切れ込みを設けることにより、開封が容易となると共に、袋体２の幅方向Ｘにおける略中央部に形成される切り込み長さを、幅方向Ｘの両端部に形成される切り込みの長さよりも長くすることで、より開封が容易となる。
【００５８】
また、開封部２１は、封入したアプリケータ５の内筒５２に位置する場所に形成されるため、個包装体１を開封後、容易に内筒５２を摘むことが可能になると共に、アプリケータ付きタンポン３の取り出しも容易となる。
【００５９】
また、蓋部２２を設けることにより、例えば、使用済みのアプリケータ５を持ち運ぶ必要が生じた場合においても、使用済みのアプリケータ５を袋体２の収納部２３に入れ、蓋をしておくことにより、他のものを汚すことなく持ち運ぶことが可能になる。
【００６０】
また、蓋部２２を収納部２３と一体的に構成することにより、開封部を別途分離させることがなくなるため、余計なゴミの発生等を防止することができる。
【００６１】
また、開封部２１を弛み部２２１で覆うことにより、開封部２１が外部に露出しないように構成されており、開封部２１に開封用の切り込みを形成した場合においても、切り込みから埃や雑菌の侵入を抑制することができる。
【００６２】
さらに、扁平状の袋体２に円筒状のアプリケータ付きタンポン３を封入することにより個包装体１が立体的になり、開封部２１における開封しやすさ、すなわち使用者による開封部２１における破りやすさを向上させることができる。
【００６３】
（５）その他
なお、本実施形態においては、袋体２は、１枚のシート状部材を２つ折にして形成したが、本発明においてはこれに限らない。例えば、袋体２は、２枚のシート状部材を重ね合わせることにより形成してもよい。
【００６４】
また、本実施形態においては、開封部２１は、袋体２の幅方向Ｘに横切る直線的な切り込みによって頂部が平らな山型に形成したが、本発明においてはこれに限らない。開封部２１は、曲線状に構成されてもよく、直線と曲線との組み合わせにより構成してもよい。例えば、開封部２１は、波形、円弧形、Ｖ字形等に形成してもよい。
【００６５】
また、本実施形態においては、開封部２１は、幅方向Ｘに間欠的に形成される複数の切り込み部により形成したが、本発明においてはこれに限らない。開封部２１は、袋体２における所定位置に置いて切り離し可能に構成されていればよく、例えば、袋体２における所定位置を肉薄にすることにより切り離し可能にしてもよい。
【００６６】
なお、第１実施形態に係る個包装体１は、例えば、アプリケータ付きタンポン３に対し袋体２の寸法における空間部が小さいものや、シート状部材の強度が低いものに好ましく使用できる。例えば、アプリケータ付きタンポン３に対し袋体２の寸法における空間部が小さいものやシート状部材の強度が低いものは、開封方向Ｚに力が加えられた場合に、その力を分散させるための要素が少なく、不測の開封が生じやすいためである。
【００６７】
［２］他の実施形態
【００６８】
図３から図１３を用いて、本発明の第２実施形態から第６実施形態について説明する。第２実施形態は、一対の弛み部が設けられた他の実施形態を示す。第３実施形態は、他の緩衝構造部である一対の緩衝部が形成された他の実施形態を示す。第４実施形態は、筒状に形成された袋体に一対の蛇腹部が形成された他の実施形態を示す。第５実施形態は、長手方向Ｙに開封部が設けられた他の実施形態を示す。第６実施形態は、長手方向に開封部を設けると共に、一対の弛み部が設けられた他の実施形態を示す。
【００６９】
なお、以下の実施形態において、特に説明しない部分は、第１実施形態と同様であり、図面に付した番号も第１実施形態と同様である場合は、同じ番号を付している。
【００７０】
［第２実施形態］
第２実施形態に示す個包装体１Ｂは、第１実施形態における個包装体１と類似する。以下、第２実施形態における個包装体１Ｂについて、第１実施形態における個包装体１との相違点を中心に説明する。
【００７１】
図３及び図４に示すように、第２実施形態に示す個包装体１Ｂは、第１弛み部２２１ａと第２弛み部２２１ｂとを備える。第１弛み部２２１ａ及び第２弛み部２２１ｂは、第１実施形態における弛み部２２１と同じ構成により形成されている。また、第１弛み部２２１ａは、開封部２１の開封方向Ｚ側に形成され、第２弛み部２２１ｂは、開封部２１の開封方向Ｚと反対側に形成される。また、第１弛み部２２１ａは、開封部２１の略中心に設けられる第１切り込み部２１１を覆うように設けられ、第２弛み部２２１ｂは、第１弛み部２２１ａの第３折曲部２２３ａを覆うように形成される。
【００７２】
第１弛み部２２１ａ及び第２弛み部２２１ｂは、共に第１の面２０ａの表面側において第１の面２０ａに沿うように配置される。
【００７３】
これにより、第２実施形態に係る個包装体１Ｂは、第１実施形態に係る個包装体１における効果に加え、以下の効果を有する。
【００７４】
第２実施形態に係る個包装体１Ｂは、シート状部材を折り曲げ、互いに重なり合うそれぞれの面を接合させずに形成した第１弛み部２２１ａと第２弛み部２２１ｂとを開封部２１の開封方向Ｚ側と開封方向Ｚと反対側に設けることにより、例えば、開封方向Ｚに開封部２１を開封させるような力が加えられた場合においても、第１及び第２弛み部２２１ａ、２２１ｂの非接合部分の一部がスライド（変形）移動することにより、この力を逃がすことが可能になる。このようにして、開封させる方向の力を緩衝させるため、開封部２１への直接的な力の伝達が抑制される。これにより、開封部２１が不用意に開封してしまうことを防止することが可能になる。また、第１実施形態と異なり、開封部２１の開封方向Ｚ側及び開封方向Ｚと反対側に、開封部２１を挟んで第１弛み部２２１ａと第２弛み部２２１ｂとを設けることにより、より多くの力を逃がすことが可能になり、開封部２１への直接的な力の伝達をより多く抑制することが可能になる。
【００７５】
なお、本実施形態においては、第１弛み部２２１ａと第２弛み部２２１ｂとは、それぞれの少なくとも一部が重なるように配置したが、本発明においてはこれに限らない。例えば、第１弛み部２２１ａと第２弛み部２２１ｂとが重ならないように配置してもよい。
【００７６】
また、本実施形態においては、第１弛み部２２１ａを第１の面２０ａの表面側に配置し、第１弛み部２２１ａの上に重なるように第２弛み部２２１ｂを配置したが、本発明においてはこれに限らない。例えば、第２弛み部２２１ｂを第１の面２０ａの表面側に配置し、第２弛み部２２１ｂの上に重なるように第１弛み部２２１ａを配置してもよい。
【００７７】
また、本実施形態においては、開封部２１を開封方向Ｚに凸状になるように山形に形成し、開封部２１の開封方向Ｚに係る一部を第１弛み部２２１ａにより覆われるように形成したが、本発明においてはこれに限らない。例えば、開封部２１の形状にかかわらず、開封部２１の全部を第１弛み部２２１ａにより覆われるように形成してもよく、第２弛み部２２１ｂにより覆われるように形成してもよい。
【００７８】
［第３実施形態］
第３実施形態に示す個包装体１Ｃは、第１実施形態における個包装体１及び第２実施形態における個包装体１Ｂと類似する。以下、第３実施形態における個包装体１Ｃについて、第１実施形態における個包装体１及び第２実施形態における個包装体１Ｂとの相違点を中心に説明する。
【００７９】
図５及び図６に示すように、第３実施形態に示す個包装体１Ｃは、開封部２１の開封方向Ｚ側に設けられる緩衝構造部である第１緩衝部６ａと、開封部２１の開封方向Ｚと反対側に設けられる第２緩衝部６ｂとを備える。
【００８０】
第１緩衝部６ａは、第１の面２０ａ側に設けられており、折り代の小さな複数の弛みが連続的に形成されることにより構成される。また、第１緩衝部６ａは、弛み部分が開封部２１側に配置されるように形成されている。具体的には、第１緩衝部６ａには、袋体２の蓋部２２における第１の面２０ａの一部を山部と谷部とが交互に連続するように折り返すことにより形成される複数の弛み部６１ａ、６２ａ、６３ａが設けられている。
【００８１】
同様に、第２緩衝部６ｂは、第１の面２０ａ側に設けられており、開封部２１を介して第１緩衝部と対向するように折り代の小さな複数の弛みが連続的に形成されることにより構成される。また、第２緩衝部６ｂは、弛み部分が開封部２１側に配置されるように形成されている。具体的には、第２緩衝部６ｂは、袋体２の収納部２３における第１の面２０ａの一部を折り返すことにより形成される複数の弛み部６１ｂ、６２ｂ、６３ｂが設けられている。
【００８２】
このように構成されることで、第１の面２０ａにおける第１緩衝部６ａと袋体２の開封方向Ｚにおける端部との間のいずれかの位置（以下、所定位置という）において、開封部２１を開封させる力が開封方向Ｚに加えられた場合、第１緩衝部６ａに設けられた複数の弛み部６１ａ、６２ａ、６３ａそれぞれがスライド移動する。具体的には、各弛み部６１ａ、６２ａ、６３ａにおける非接合の各積層部分がスライド移動する。これにより、所定位置に加えられた開封方向Ｚにおける開封部２１に対する力の伝達が抑制される。つまり、第１緩衝部６ａは、緩衝構造部として機能する。同様に、第２緩衝部６ｂに関しても、第２緩衝部６ｂに設けられた複数の弛み部６１ｂ、６２ｂ、６３ｂそれぞれがスライド移動することにより、緩衝構造部として機能する。
【００８３】
なお、第１緩衝部６ａ及び第２緩衝部６ｂのスライド移動する前の長さとしては、例えば、３ｍｍから３０ｍｍの範囲の長さを例示できる。これは、例えば、指で摘むことが可能な長さであればよい。
【００８４】
また、第１緩衝部６ａ及び第２緩衝部６ｂの延伸方向における延伸時の長さは、非延伸時の長さに対して、１３０％以上になることが好ましい。１３０％以上延伸可能に形成することにより、開封方向Ｚに加えられる直接的な力をより緩衝可能となるためである。
【００８５】
このように、個包装体１Ｃは、開封部２１の開封方向Ｚ側に設けられる複数の弛み部６１ａ、６２ａ、６３ａを備えた第１緩衝部と、開封部２１の開封方向Ｚと反対側に設けられる複数の弛み部６１ｂ、６２ｂ、６３ｂを備えた第２緩衝部６ｂとを備えることにおいて、第１実施形態及び第２実施形態と異なる。これにより、例えば、開封方向Ｚに開封部２１を開封させる直接的な力が加えられた場合に、複数の弛み部６１ａ、６２ａ、６３ａ、６１ｂ、６２ｂ、６３ｂを備えることにより、より多くの力を緩衝させることが可能になる。
【００８６】
さらに、第３実施形態に係る個包装体１Ｃは、第１及び第２実施形態に係る個包装体１、１Ｂにおける効果に加え、以下の効果を有する。
【００８７】
個包装体１Ｃの第１緩衝部６ａの弛み部６１ａ、６２ａ、６３ａ及び第２緩衝部６ｂの弛み部６１ｂ、６２ｂ、６３ｂは、折り代が小さく形成されているため、開封部２１を開封させるためには、第１緩衝部６ａ及び第２緩衝部６ｂのそれぞれを指で摘み、各弛み部の延伸を制限した状態で開封させるが、折り代の小さな複数の弛み部６１ａ、６２ａ、６３ａ、６１ｂ、６２ｂ、６３ｂが設けられているため、摘み時において、摩擦力による指への引っ掛かりが生じ、より開封方向に引っ張りやすくなる。
【００８８】
なお、本実施形態においては、緩衝構造部として、開封部２１における開封方向Ｚ側に第１緩衝部６ａを設け、開封部２１における開封方向Ｚと反対側に第２緩衝部６ｂを設けたが本発明においてはこれに限らない。例えば、開封部２１における開封方向Ｚ側、及び開封方向Ｚと反対側のいずれか一方に第１緩衝部６ａ又は第２緩衝部６ｂを設ける構成としてもよい。
【００８９】
また、本実施形態においては、開封部２１における開封方向Ｚ側に１つの第１緩衝部６ａを設け、開封方向Ｚと反対側に１つの第２緩衝部６ｂを設けたが、本発明においてはこれに限らない。例えば、開封部２１における開封方向Ｚ側に複数の第１緩衝部６ａを設けてもよく、開封方向Ｚと反対側に複数の第２緩衝部６ｂを設けてもよい。
【００９０】
また、本実施形態においては、折り代の小さな複数の弛み部を設けることにより、開封方向Ｚに延伸可能な構成としてが、本発明においてはこれに限らない。例えば、波状の賦型処理により、延伸可能に形成してもよく、伸縮性を有する材料を第１緩衝部６ａ及び第２緩衝部６ｂに使用することにより延伸性を持たせてもよい。
［第４実施形態］
第４実施形態に示す個包装体１Ｄは、第１実施形態における個包装体１と類似する。以下、第４実施形態における個包装体１Ｄについて、第１実施形態における個包装体１との相違点を中心に説明する。
【００９１】
図７から図９に示すように、第４実施形態に示す個包装体１Ｄは、開封部２１の開封方向Ｚ側に設けられる緩衝構造部である第１蛇腹部７ａと、開封部２１の開封方向Ｚと反対側に設けられる第２蛇腹部７ｂとを備える。
【００９２】
個包装体１Ｄは、略円筒状に形成されており、長手方向Ｙにおける両端部をシール接合することにより形成される。第１蛇腹部７ａ及び第２蛇腹部７ｂは、個包装体１Ｄの周面に形成される。
【００９３】
第１蛇腹部７ａは、複数の山部７１ａ、７２ａ、７３ａ、７４ａと複数の谷部７５ａ、７６ａ、７７ａとが交互に連続するようにシート状部材を折り返して形成される。同様に、第２蛇腹部７ｂは、複数の山部７１ｂ、７２ｂ、７３ｂ、７４ｂと複数の谷部７５ｂ、７６ｂ、７７ｂとが交互に連続するようにシート状部材を折り返して形成される。
【００９４】
このように構成されることで、第１の面２０ａにおける第１蛇腹部７ａと袋体２の開封方向Ｚにおける端部との所定の場所に対して、開封部２１を開封させる力が開封方向Ｚに加えられた場合、第１蛇腹部７ａが延伸変形する。具体的には、開封方向Ｚに力が加えられることにより、第１蛇腹部７ａに設けられた複数の山部７１ａ、７２ａ、７３ａ、７４ａの頂部における角度が大きくなり、山部７１ａ、７２ａ、７３ａ、７４ａと連続する谷部７５ａ、７６ａ、７７ａ同士の間隔が広がる。これにより、第１蛇腹部７ａは延伸変形し、所定位置に加えられた開封方向Ｚへの力が開封部２１に伝達されない。つまり、第１蛇腹部７ａは、緩衝構造部として機能する。
【００９５】
同様に、第２蛇腹部７ｂに関しても、第２蛇腹部７ｂに設けられた山部７１ｂ、７２ｂ、７３ｂ、７４ｂの頂部における角度が大きくなることで谷部７５ｂ、７６ｂ、７７ｂ同士の間隔が広がり、第２蛇腹部７ｂは延伸変形する。これにより、第２蛇腹部７ｂは、緩衝構造部として機能する。
【００９６】
第１蛇腹部７ａ及び第２蛇腹部７ｂの延伸方向における非延伸時の長さとしては、３ｍｍから３０ｍｍの範囲の長さが例示できる。これは、例えば、指で摘むことが可能な長さであればよい。
【００９７】
また、第１蛇腹部７ａ及び第２蛇腹部７ｂの延伸方向における延伸時の長さは、非延伸時の長さに対して、１３０％以上になることが好ましい。１３０％以上延伸可能に形成することにより、開封方向Ｚに加えられる直接的な力をより抑制可能となるためである。
【００９８】
また、図９に示すように、個包装体１Ｄは、開封部２１の位置を示唆する案内要素である案内標識８が設けられている。具体的には、案内標識８は、矢印を印刷することにより袋体２に設けられており、例えば、第１蛇腹部７ａ及び第２蛇腹部７ｂの近傍に設けられる。このように、開封部２１の位置を示唆する案内標識８を設けることにより、例えば、使用者は、開封部２１を間違えることなく開封することが可能になり、開封部２１をきれいに切断させることが可能になる。これにより、例えば、使用済みのアプリケータやタンポン本体を破棄するために一時的に袋体に入れる場合においても開封面がきれいに形成されるため、使用済みのアプリケータやタンポン本体を袋体を汚すことなく容易に入れることが可能になる。
【００９９】
さらに、第４実施形態に係る個包装体１Ｄは、第１実施形態に係る個包装体１における効果に加え、以下の効果を有する。個包装体１Ｄの第１蛇腹部７ａの山部７１ａ、７２ａ、７３ａ、７４ａ及び第２蛇腹部７ｂの山部７１ｂ、７２ｂ、７３ｂ、７４ｂは、弛み部２２１が設けられていないため、開封部２１を開封させるためには、第１蛇腹部７ａ及び第２蛇腹部７ｂのそれぞれを指で摘み、連続する山部の伸張を制限した状態で開封させるが、第１及び第２蛇腹部７ａ、７ｂに山部が設けられているため、摘み時において、摩擦力による指への引っ掛かりが生じ、より開封方向に引っ張りやすくなる。
【０１００】
なお、本実施形態においては、緩衝構造部として、開封部２１における開封方向Ｚ側に第１蛇腹部７ａを設け、開封部２１における開封方向Ｚと反対側に第２蛇腹部７ｂを設けたが本発明においてはこれに限らない。例えば、開封部２１における開封方向Ｚ側、及び開封方向Ｚと反対側のいずれか一方に第１蛇腹部７ａ又は第２蛇腹部７ｂを設ける構成としてもよい。
【０１０１】
また、本実施形態においては、開封部２１における開封方向Ｚ側に１つの第１蛇腹部７ａを設け、開封方向Ｚと反対側に１つの第２蛇腹部７ｂを設けたが、本発明においてはこれに限らない。例えば、開封部２１における開封方向Ｚ側に複数の第１蛇腹部７ａを設けてもよく、開封方向Ｚと反対側に複数の第２蛇腹部７ｂを設けてもよい。
【０１０２】
また、本実施形態においては、開封部２１は、開封方向Ｚにおける断面の側面部分が互いに直線である山型となるように形成したが、本発明においてはこれに限らない。例えば、断面における側面部分が曲線である場合や、一方が直線で他方が曲線である等であってもよい。また、山型における頂部の形状も鋭角な凸状だけでなく、曲線（曲面）であってもよく、平面であってもよい。例えば、断面における形状が台形状、オメガ状、波状等であってもよい。
【０１０３】
また、本実施形態においては、第１蛇腹部７ａ及び第２蛇腹部７ｂは、４つの山部により形成したが、本発明においてはこれに限らない。例えば、１以上の山部により形成してもよい。
【０１０４】
また、本実施形態においては、案内要素として開封部２１の位置を示す案内要素を設けたが、本発明においてはこれに限らない。例えば、開封部２１の開封方向を示すものであってもよく、弛み部２２１等の指で把持可能な把持部を有する場合においては、把持部の位置を示すものであってもよい。
【０１０５】
また、本実施形態においては、案内要素として開封部２１の位置を示す矢印を印刷することにより形成したが、本発明においてはこれに限らない。例えば、開封部２１の位置又は開封方向Ｚを文字、図柄、図形等を印刷することにより形成してもよい。
【０１０６】
また、例えば、エンボス加工等により凹凸を設け、触感により案内要素を設ける構成としてもよい。
【０１０７】
また、本実施形態においては、山部と谷部とを交互に連続的に設けることにより、開封方向に伸張可能な構成としてが、本発明においてはこれに限らない。例えば、ギア加工等の波状の賦型処理により、延伸可能に形成してもよく、伸縮性を有する材料を第１蛇腹部７ａ及び第２蛇腹部７ｂに使用することにより延伸性を持たせてもよい。
【０１０８】
［第５実施形態］
第５実施形態に示す個包装体１Ｅは、第１実施形態における個包装体１と類似する。以下、第５実施形態における個包装体１Ｅについて、第１実施形態における個包装体１との相違点を中心に説明する。
【０１０９】
図１０及び図１１に示すように、第５実施形態に示す個包装体１Ｅは、開封部２１が袋体２の長手方向Ｙに沿って形成される。また、弛み部２２１は、幅方向Ｘに舌状に形成されると共に、袋体２の長手方向Ｙに沿って設けられる。さらに、蓋部２２は、袋体２の長手方向Ｙに沿って形成され、袋体２の幅方向Ｘに開封可能になるように形成される。
【０１１０】
このように、個包装体１Ｅは、弛み部２２１が長手方向Ｙに沿って形成されることにおいて第１実施形態と異なる。これにより、例えば、弛み部２２１の向かい合う面における非接合部分が幅方向Ｘにスライド可能となる。そして、長手方向Ｙに沿って形成される弛み部２２１は、非接合部分の面積が大きくなると共に、第１の面２０ａと接合された両端部から離れた長手方向の中心部分は、より開封方向に加えられる直接的な力を緩衝することが可能となる。
【０１１１】
なお、本実施形態に係る個包装体１Ｅは、長手方向Ｙに伸びるシール部（図示せず）をヒートシールすることにより略円筒状に形成し、袋体２の長手方向Ｙにおける両端部のサイドシール部２４及び蓋部シール部２６のそれぞれをヒートシールすることにより袋状に形成される。
【０１１２】
このように、個包装体１Ｅは、開封方向Ｚが幅方向Ｘとなるように袋体２の長手方向Ｙに沿って開封部２１を設けたものであり、第１実施形態に係る個包装体１における効果に加え、以下の効果を有する。
【０１１３】
第５実施形態に係る個包装体１Ｅは、弛み部２２１を袋体２の幅方向Ｘに舌状に形成すると共に、長手方向Ｙに沿って形成することにより、幅方向Ｘに沿って弛み部２２１を設けた場合に比べて、弛み部２２１における緩衝部分を多くとることが可能になる。これにより、開封方向Ｚに移動可能な部分も多くなり、開封方向Ｚに加えられる直接的な力をより多く緩衝させることが可能になる。言い換えると、開封部２１に加わる開封方向Ｚへの力を抑制することが可能になる。
【０１１４】
また、第５実施形態に係る個包装体１Ｅは、開封部２１を長手方向Ｙに沿うように形成することにより、開封部２１を大きくすることが可能になる。これにより、例えば、アプリケータ付きタンポン３を取り出しやすくなると共に、使用済みのアプリケータ５やタンポン本体４を破棄するために一時的に袋体２に戻す場合であっても、開封部２１が大きいために袋体２の収納部２３に容易に戻すことが可能になる。
【０１１５】
なお、本実施形態においては、長手方向Ｙに伸びる開封部２１を袋体２の長手方向Ｙの全部を横切るように設けたが、本発明においてはこれに限らない。例えば、個包装体１Ｅに封入されるアプリケータ付きタンポン３が取り出し可能な大きさに開封可能な長さを有するものであればよい。例えば、袋体２の長手方向の長さに対し、２５％から７０％の範囲の長さを有すればよい。この場合において、第１切り込み部２１１は、開封部２１の略中心に形成すればよく、例えば、弛み部２２１の着用者が指等で摘む位置の近傍に設けられていればよい。
【０１１６】
また、本実施形態においては、開封部２１は直線状に形成したが、本発明においてはこれに限らない。例えば、曲線の組み合わせ、曲線と直線の組み合わせ等により形成してもよい。
【０１１７】
［第６実施形態］
第６実施形態に示す個包装体１Ｆは、第５実施形態における個包装体１Ｅと類似する。以下、第６実施形態における個包装体１Ｆについて、第５実施形態における個包装体１Ｅとの相違点を中心に説明する。
【０１１８】
図１２から図１３に示すように、第６実施形態に示す個包装体１Ｆは、開封部２１を挟んで、開封方向Ｚに開封可能な第１弛み部２２１ａと開封方向Ｚと反対方向に開封可能な第２弛み部２２１ｂとが形成されることにおいて第５実施形態と異なる。
【０１１９】
個包装体１Ｆは、第５実施形態に係る個包装体１Ｅにおける効果に加え、以下の効果を有する。すなわち、第６実施形態に係る個包装体１Ｆは、第１弛み部２２１ａ及び第２弛み部２２１ｂを設けることにより開封部２１の一方側に長手方向Ｙに沿うように弛み部２２１を設けた場合に比べて、緩衝部分を多くとることが可能になる。つまり、開封方向Ｚに延伸変形可能な部分が多くなるため、開封方向Ｚに加えられる力をより多く緩衝させることが可能になる。言い換えると、開封部２１に加わる開封方向Ｚへの力をより多く抑制することが可能になる。
【０１２０】
なお、本実施形態においては、長手方向Ｙに伸びる開封部２１を袋体２の長手方向Ｙの全部を横切るように設けたが、本発明においてはこれに限らない。例えば、個包装体１Ｆに封入されるアプリケータ付きタンポン３が取り出し可能な大きさに開封可能な長さを有するものであればよい。例えば、袋体２の長手方向の長さに対し、２５％から７０％の範囲の長さを有すればよい。
【０１２１】
また、本実施形態においては、第１弛み部２２１ａと第２弛み部２２１ｂとは、それぞれの少なくとも一部が重なるように配置したが、本発明においてはこれに限らない。例えば、第１弛み部２２１ａと第２弛み部２２１ｂとが重ならないように配置してもよい。
【０１２２】
また、本実施形態においては、第１弛み部２２１ａを第１の面２０ａの表面側に配置し、第１弛み部２２１ａの上に重なるように第２弛み部２２１ｂを配置したが、本発明においてはこれに限らない。例えば、第２弛み部２２１ｂを第１の面２０ａの表面側に配置し、第２弛み部２２１ｂの上に重なるように第１弛み部２２１ａを配置してもよい。
【０１２３】
なお、本発明においては、タンポンはアプリケータ付きタンポン３を使用したが、本発明においてはこれに限らない。例えば、タンポンのみを個別に包装した個包装体にも用いてもよい。
【図面の簡単な説明】
【０１２４】
【図１】本発明の第１実施形態に係る個包装体の正面図である。
【図２】図１に示す個包装体のＡ−Ａ断面を示す模式図である。
【図３】本発明の第２実施形態に係る個包装体の正面図である。
【図４】図３に示す個包装体のＢ−Ｂ断面を示す模式図である。
【図５】本発明の第３実施形態に係る個包装体の正面図である。
【図６】図５に示す個包装体のＣ−Ｃ断面を示す模式図である。
【図７】本発明の第４実施形態に係る個包装体の正面図である。
【図８】図７に示す個包装体のＤ−Ｄ断面を示す模式図である。
【図９】図７に示す個包装体の側面を示す部分拡大図である。
【図１０】本発明の第５実施形態に係る個包装体の正面図である。
【図１１】図１０に示す個包装体のＥ−Ｅ断面を示す模式図である。
【図１２】本発明の第６実施形態に係る個包装体の正面図である。
【図１３】図１２に示す個包装体のＦ−Ｆ断面を示す模式図である。
【図１４】図１４（Ａ）は、本発明に係るアプリケータ付きタンポンを示し、（Ｂ）は、本発明に係るタンポン本体を示す。
【符号の説明】
【０１２５】
１    個包装体
２    袋体
２０    シート状部材
２１    蓋部
２２１    弛み部
２２１ａ    第１弛み部
２２１ｂ    第２弛み部
３    アプリケータ付きタンポン
４    タンポン
４１    吸収体
４２    取り出し紐
５    アプリケータ
５１    外筒
５２    内筒
５３    把持部
【図１】
2008259583.tif 000003
【図２】
2008259583.tif 000004
【図３】
2008259583.tif 000005
【図４】
2008259583.tif 000006
【図５】
2008259583.tif 000007
【図６】
2008259583.tif 000008
【図７】
2008259583.tif 000009
【図８】
2008259583.tif 000010
【図９】
2008259583.tif 000011
【図１０】
2008259583.tif 000012
【図１１】
2008259583.tif 000013
【図１２】
2008259583.tif 000014
【図１３】
2008259583.tif 000015
【図１４】
2008259583.tif 000016